(57)【要約】【課題】換気装置に使用されるパネルにおいて、パネル内の空間を最大利用でき、かつデザイン性を損なわないパネルを提供することを目的とする。【解決手段】本発明の換気装置１は、箱状の本体の一面に室内空気を吸入する排気吸込口２と、他の一面に室内に室内空気を吹出す排気口５を設け、前記本体の内部には、排気吸込口２から排気口５に至る排気風路７と、排気風路７内に空気を搬送するファンモーター１５を備えている。そして、本体下面には、中央から外側に向かいテーパー状にラウンドしたパネル１０を設け、そのパネル１０の中央近傍の内側に回動軸穴２３を有し、その回動軸穴２３を支点にパネル外周１６から中央方向へ開閉する機構を有した吸込み枠２０を設けた構成にしたことにより、吸込み枠２０は、パネル１０の下面にあわせて端部が薄く構成され、パネル１０内の空間を最大利用でき、かつデザイン性を損なわないことができる。【選択図】図５
2013221722.tif 000002
【特許請求の範囲】
【請求項１】
箱状の本体の一面に室内空気を吸入する排気吸込口と、他の一面に室外に室内空気を吹出す排気口を設け、前記本体の内部には、前記排気吸込口から排気口に至る排気風路と、その排気風路内に空気を搬送するファンモーターを備えた換気装置であって、
本体下面には、中央から外側に向かいテーパー状にラウンドしたパネルを設け、
前記排気吸込口には、前記パネルの中央近傍の内側に回動軸穴を有し、
この回動軸穴を支点に、パネル外周から中央方向へ開閉する機構を有した吸込み枠を設けたことを特徴とする換気装置。
【請求項２】
前記吸込み枠にフィルターを設けたことを特徴とする請求項１記載の換気装置。
【請求項３】
前記本体に外気吸込口と外気吹出口を設け、
前記本体の内部に、前記外気吸込口から外気吹出口に至る給気風路と、その給気風路内に空気を搬送する第２のファンモーターと、前記排気風路を通過する室内空気と前記給気風路を通過する外気との間で熱交換する熱交換素子を備え、
前記吸込み枠に隣接して前記熱交換素子の排気風路の入口を設けた請求項１または２記載の換気装置。
【請求項４】
前記パネルの中央近傍を対称軸にして、前記吸込み枠と対称に、前記吸込み枠と同じ構造の操作パネル枠を設けた請求項３記載の換気装置。
【発明の詳細な説明】
【技術分野】
【０００１】
本発明は、建物内に据え付けられる換気装置に関する。
【背景技術】
【０００２】
従来、この種の換気空調装置としては、化粧板グリル中央に位置する吸込口から吸込まれた空気は送風機によって送り出され、熱交換器によって加熱（冷却）された後、ルーバーによって風向をコントロールされながら吸込口周囲に設けられた吹出口から吹出される構成とした換気空調装置が知られている（例えば、特許文献１参照）。
【０００３】
以下、その換気空調装置について図１０を参照しながら説明する。
【０００４】
図１０に示すように、１０１は天井埋込型の室内機、１０２は天壁である。１０３は固定ボルトであり、前記室内機１０１を前記天壁１０２に固定する。１０４は天井である。１０５は前記室内機１０１の外殻であり、前記天井１０４と略同一平面上に開口している。１０６は化粧板グリルであり、前記外殻１０５の開口部に取付けられている。１０７ａ、１０７ｂは空調システムの室内側熱交換器である。１０８は送風機である。１０９ａ、１０９ｂは送風機のケーシングである。１１０は室内空気の吸込口であり、前記化粧板グリル１０６の中央部に設けられており、方形状をなしている。１１１ａ、１１１ｂは前記熱交換器１０７ａ、１０７ｂによって熱交換を行った空気の吹出し口であり、前記吸込口１１０の周囲に設けられている。１１２ａ、１１２ｂは前記吹出し口１１１ａ、１１１ｂより吹出す空気の方向をコントロールするための回転可能なルーバーを設けた構成としている。
【先行技術文献】
【特許文献】
【０００５】
【特許文献１】特開平１−１６９２４５号公報
【発明の概要】
【発明が解決しようとする課題】
【０００６】
このような本体の下面にパネルを有する換気装置においては、室内の汚れた空気を排出する吸込み開口がパネルの前面を大きく支配していてデザイン性を損なっていたという課題があった。
【０００７】
本発明は、このような従来の課題を解決するものであり、パネルの外周から中央方向へ開閉する機構を有した吸込み枠を設けることで、パネル内の空間を最大利用でき、かつデザイン性を損なわないパネルを提供することを目的とする。
【課題を解決するための手段】
【０００８】
そして、この目的を達成するために、本発明は、箱状の本体の一面に室内空気を吸入する排気吸込口と、他の一面に室外に室内空気を吹出す排気口を設け、前記本体の内部には、前記排気吸込口から排気口に至る排気風路と、その排気風路内に空気を搬送するファンモーターを備えた換気装置であって、本体下面には、中央から外側に向かいテーパー状にラウンドしたパネルを設け、前記排気吸込口には、前記パネルの中央近傍の内側に回動軸穴を有し、この回動軸穴を支点に、パネル外周から中央方向へ開閉する機構を有した吸込み枠を設けたことを特徴としたものであり、これにより所期の目的を達成するものである。
【発明の効果】
【０００９】
本発明によれば、箱状の本体の一面に室内空気を吸入する排気吸込口と、他の一面に室外に室内空気を吹出す排気口を設け、前記本体の内部には、前記排気吸込口から排気口に至る排気風路と、その排気風路内に空気を搬送するファンモーターを備えた換気装置であって、本体下面には、中央から外側に向かいテーパー状にラウンドしたパネルを設け、前記排気吸込口には、前記パネルの中央近傍の内側に回動軸穴を有し、この回動軸穴を支点に、パネル外周から中央方向へ開閉する機構を有した吸込み枠を設けたという構成にしたことにより、吸込み枠は、前記パネルの下面にあわせて端部（回動軸の反対側端部であって前記パネルの外周側にあたる部分）が薄く構成されるため、前記パネル内の空間を最大利用でき、かつデザイン性を損なわないという効果を得ることができる。
【図面の簡単な説明】
【００１０】
【図１】本発明の実施の形態１の換気装置を示す下方斜視図
【図２】同換気装置を示す側面断面図
【図３】同換気装置の排気風路を示す部分斜視図
【図４】同換気装置のパネルの斜視図
【図５】同換気装置のパネルと吸込み枠の斜視図
【図６】同換気装置の吸込み枠の斜視図
【図７】同換気装置のパネルと吸込み枠が開いた状態示す斜視図
【図８】同換気装置とフィルターを示す斜視図
【図９】同換気装置の側面断面図
【図１０】従来の換気空調装置の構成図
【発明を実施するための形態】
【００１１】
本発明の請求項１記載の換気装置は、箱状の本体の一面に室内空気を吸入する排気吸込口と、他の一面に室外に室内空気を吹出す排気口を設け、前記本体の内部には、前記排気吸込口から排気口に至る排気風路と、その排気風路内に空気を搬送するファンモーターを備えた換気装置であって、本体下面には、中央から外側に向かいテーパー状にラウンドしたパネルを設け、前記排気吸込口には、前記パネルの中央近傍の内側に回動軸穴を有し、この回動軸穴を支点に、パネル外周から中央方向へ開閉する機構を有した吸込み枠を設けたものである。これにより、吸込み枠は、前記パネルの下面にあわせて端部（回動軸の反対側端部であって前記パネルの外周側にあたる部分）が薄く構成されることとなり、前記パネル内の空間を最大利用でき、かつデザイン性を損なわないという効果を奏する。
【００１２】
また、前記吸込み枠にフィルターを設ける構成にしてもよい。これにより、室内排気のごみを捕集することとなるので、フィルターのお手入れが容易になるという効果を奏する。
【００１３】
以下、本発明の実施の形態について図面を参照しながら説明する。
【００１４】
（実施の形態１）
図１に示すように、換気装置１は、箱状の本体の下面に排気吸込口２を備え、側面に、外気吸込口３、外気吹出口４、排気口５が設けられている。図２、図３に示すように、換気装置１の内部には、外気吸込口３から外気吹出口４に至る給気風路６と、排気吸込口２から排気口５に至る排気風路７を備えている。給気風路６においては、新鮮な室外の空気を、換気装置１の本体側面８の外気吸込口３から吸込み、換気装置１本体の内部に配置した熱交換素子９を通って、外気吹出口４から室内に吹出す。一方、排気風路７では、室内の汚れた空気は、換気装置１の本体下面に設置したパネル１０の排気吸込口２より吸込まれ、換気装置１本体の内部に配置した熱交換素子９を通って、排気口５から室外に吹出す。このとき、給気風路６と排気風路７は、熱交換素子９において交差する。そして、熱交換素子９は、給気風路６と排気風路７を通過する室内外の空気の熱量を交換する機能を有している。排気吸込口２は、熱交換素子９に設けられた排気風路７の入口の直下に設けられる。
【００１５】
図２に示すように、室内用ファン１１は、給気風路６内に設けられ、室外用ファン１２は、排気風路７内に設けられる。そして、室内用ファン１１と室外用ファン１２は、電動機１３に同一の回転軸１４にて連結されてファンモーター１５を構成している。外気吸込口３から導入される新鮮な空気と排気吸込口２から排気される汚れた空気は、ファンモーター１５により、それぞれ給気風路６と排気風路７を流れる。このとき熱交換素子９は空気の流れに対して、室内用ファン１１と室外用ファン１２の上流側に位置している。
【００１６】
また、図４に示すように、本体下面に設置されるパネル１０は、パネル外周１６が薄く、中央部分１７が肉厚、あるいは、ふくらんだ形状となっている。つまり、中央部分１７からパネル外周１６に向かいテーパー状にラウンドした略湾曲面１８となっている。この略湾曲面１８には、パネル１０の中央付近を一辺とし、パネル外周１６付近をその対向辺とする開口１９を左右対称に有している。この開口１９の片方にあわせ、図５、図６に示すように、吸込み枠２０を設ける。この吸込み枠２０は、吸込み面の周囲に周囲リブ２５を設けた箱状である。室内側となる意匠面はパネル１０の略湾曲面１８に合わせ、複数個のリブ２１をスリット状に設けて、吸込み開口２２を成形している。この吸込み開口２２は室内から空気を回収する排気風路７を形成している。また、パネル１０には開口１９の中央部側の辺の両端部に回動軸穴２３が設けられる。吸込み枠２０には回動軸穴２３の径より小として嵌合可能な円柱軸２４を、リブ２１に対し直角方向でパネル１０の開口１９の中央部側の辺の両端の角部に２箇所設けた。これにより、図７に示すように、パネル１０の回動軸穴２３に吸込み枠２０の円柱軸２４を嵌合することで、吸込み枠２０は、回動軸穴２３を支点にパネル１０の外周から中央方向へ開閉する機構を有した構成となる。これにより、吸込み枠２０は、回動軸穴２３を軸にして、下方に垂れ下がるようにして開放される。また、図６に示すように、吸込み枠２０は、周囲リブ２５の角部に、リブ２１成形面に対して対向する位置に、端面リブ２７が設けられている。これにより、図８に示すように、周囲リブ２５と端面リブ２７とで、吸込み枠２０の内部にフィルター２８を支持する構成とした。また、図９に示すように、吸込み枠２０は、パネル１０の略湾曲面１８にあわせて端部（円柱軸２４の反対側端部であってパネルの外周側にあたる部分）が薄くなる構成となる。
【００１７】
また、吸込み枠２０は、吸込み枠２０の外周側端部に設けた磁石（図示なし）とパネル１０の開口１９の外周側端部に設けた磁石（図示なし）とで通常使用時には、閉鎖状態を保持する保持機構を設けた構成としている。
【００１８】
このような構成によれば、吸込み枠２０は箱状で、意匠面はパネル１０の略湾曲面１８に合わせ、吸込み開口２２を成形して排気風路７を形成することにより、パネル１０に吸込み枠２０を装着した時、デザイン性を損なわない。
【００１９】
また、前述したように、パネル１０には、開口１９の中央部側の辺に沿って回動軸穴２３が設けられ、吸込み枠２０には円柱軸２４が、中央部側の辺に沿うように設けられている。そして、吸込み枠２０は、回動軸穴２３を支点にパネル１０の外周から中央方向へ開閉する機構で、パネル１０の略湾曲面１８にあわせて端部が薄くなっている。すなわち、円柱軸２４を設ける構成上、回動軸側を厚く、回動軸と対向する辺が薄くなっている。このように、厚みを必要とする部分、つまり、パネル１０の肉厚な部分に吸込み枠２０の回転軸を設けることで、パネル１０の全体的な厚さを最小限に抑えている。さらに、吸込み枠２０の回転動作範囲を最小限に制限できるため、パネル１０の内部の空間を有効に利用することができる。
【００２０】
また、排気風路７の最上流である吸込み枠２０の内部に設けたフィルター２８で吸込み開口２２から排気される汚れた空気と一緒に侵入する塵埃を防止し、ファンモーター１５などへの異物の侵入を防いでいる。さらにフィルター２８は、吸込み枠２０に収納されていて、吸込み枠２０を下方に開放することで、簡単に着脱可能でお手入れできる。
【００２１】
また、対称に設けた開口１９の一方には、吸込み枠２０を設けたが、他方の開口１９を用いて、操作パネル（図示せず）を設けることが可能である。この操作パネルを隠蔽するため、吸込み枠２０と同じ構造の操作パネル枠（図示せず）を、吸込み枠２０と対称に設ける。このような構成によれば、パネル１０の表面に操作部を設けず、隠蔽することでデザイン性を確保しすることができる。そして、外部から操作しにくくして、誤操作を防いでいる。
【産業上の利用可能性】
【００２２】
本発明の冷凍サイクルを搭載した換気空調装置は、フロントパネルの外観的意匠を損なわず、かつ、メンテ時、お手入れを容易にすることができるものであるので、住宅の換気空調のみならず、ビルや工場に使用される産業用の換気装置等として有用である。
【符号の説明】
【００２３】
１    換気装置
２    排気吸込口
３    外気吸込口
４    外気吹出口
５    排気口
６    給気風路
７    排気風路
８    本体側面
９    熱交換素子
１０  パネル
１１  室内用ファン
１２  室外用ファン
１３  電動機
１４  回転軸
１５  ファンモーター
１６  パネル外周
１９  開口
２０  吸込み枠
２１  リブ
２２  吸込み開口
２３  回動軸穴
２４  円柱軸
２５  周囲リブ
２７  端面リブ
２８  フィルター
【図１】
2013221722.tif 000003
【図２】
2013221722.tif 000004
【図３】
2013221722.tif 000005
【図４】
2013221722.tif 000006
【図５】
2013221722.tif 000007
【図６】
2013221722.tif 000008
【図７】
2013221722.tif 000009
【図８】
2013221722.tif 000010
【図９】
2013221722.tif 000011
【図１０】
2013221722.tif 000012